(57)【要約】      （修正有）【課題】簡素な構造で施工性のよい太陽電池装置を提供する。【解決手段】設置面Ｐに配置された基礎構造体２と、基礎構造体２の上に配置された架台３と、架台３の上に配置された太陽電池モジュール４とを備えている太陽電池装置１であって、基礎構造体２は、一端部側に架台３が配置されて他端部側を設置面Ｐに対して直立状態で設けられる主杭部材２０と、主杭部材２０の一端部側に固定された第１基部２１と、第１基部２１に対して回動可能に設けられた、管部を有する第１管状部材２２と、第１管状部材２２の管部内に一部が挿入された状態で、主杭部材２０の直立方向に対して傾斜して設けられた副杭部材２３と、を有している。【選択図】図１
2017046560.tif 000002
【特許請求の範囲】
【請求項１】
設置面に配置された基礎構造体と、該基礎構造体の上に配置された架台と、該架台の上に配置された太陽電池モジュールとを備えている太陽電池装置であって、
前記基礎構造体は、一端部側に前記架台が配置されて他端部側を前記設置面に対して直立状態で設けられる主杭部材と、
該主杭部材の前記一端部側に固定された第１基部と、
該第１基部に対して回動可能に設けられた、管部を有する第１管状部材と、
該第１管状部材の前記管部内に一部が挿入された状態で、前記主杭部材の直立方向に対して傾斜して設けられた副杭部材と、を有している太陽電池装置。
【請求項２】
前記基礎構造体は２対の前記副杭部材を有し、前記主杭部材の前記一端部側を平面視した場合に、各対の前記副杭部材がそれぞれ異なる一方向に沿って配置されている、請求項１に記載の太陽電池装置。
【請求項３】
前記主杭部材の前記一端部側を平面視した場合に、一方の１対の前記副杭部材と他方の１対の前記副杭部材とが直交するように配置されている、請求項２に記載の太陽電池装置。
【請求項４】
前記基礎構造体は、前記主杭部材において前記第１基部よりも前記他端部側に固定された第２基部と、該第２基部に対して回動可能に設けられた、管部を有する第２管状部材とをさらに有し、
前記第２管状部材の前記管部内に前記副杭部材の一部が挿入されている、請求項１乃至３のいずれかに記載の太陽電池装置。
【発明の詳細な説明】
【技術分野】
【０００１】
本発明は、太陽電池装置に関する。
【背景技術】
【０００２】
近年、環境負荷の少ない太陽電池装置の普及が進んでいる。例えば、農地に簡易な支柱を打ち込み、この支柱上に発電設備を設置して、営農を継続しながら太陽光発電を行なう太陽電池装置が知られている。このような太陽電池装置は、農地の軟らかい地盤へ強固に固定できることが求められている。
【０００３】
そこで、地盤へ斜めに打ち込んだ杭を基礎として備えた太陽電池装置が提案されている（例えば、下記の特許文献１を参照）。
【先行技術文献】
【特許文献】
【０００４】
【特許文献１】特開２０１４−３１７００号公報
【発明の概要】
【発明が解決しようとする課題】
【０００５】
しかし、傾斜して地下へ打ち込まれた杭が、例えば農業用機械の掘削爪と干渉して、十分な深耕を行なうことができず、農作物の生産に支障を与える場合があり得る。
【０００６】
本発明の目的の１つは、農産物の生産への支障が少なく、簡素な構造で施工性のよい太陽電池装置を提供することである。
【課題を解決するための手段】
【０００７】
本発明の一実施形態に係る太陽電池装置は、設置面に配置された基礎構造体と、該基礎構造体の上に配置された架台と、該架台の上に配置された太陽電池モジュールとを備えている太陽電池装置であって、前記基礎構造体は、一端部側に前記架台が配置されて他端部側を前記設置面に対して直立状態で設けられる主杭部材と、該主杭部材の前記一端部側に固定された第１基部と、該第１基部に対して回動可能に設けられた、管部を有する第１管状部材と、該第１管状部材の前記管部内に一部が挿入された状態で、前記主杭部材の直立方向に対して傾斜して設けられた副杭部材と、を有している。
【発明の効果】
【０００８】
上記構成の太陽電池装置によれば、農産物の生産への支障が少なく、簡素な構造で施工性がよい。
【図面の簡単な説明】
【０００９】
【図１】図１は、本発明に係る太陽電池装置の一実施形態を示す図であり、図１（ａ）は斜視図、図１（ｂ）は図１（ａ）の一部をＸ軸方向から見た様子を示す側面図である。
【図２】図２は、図１に示す太陽電池装置を構成する太陽電池モジュールの一例を示す図であり、図２（ａ）は太陽電池モジュールを受光面側から見た平面図、図２（ｂ）は図２（ａ）のＡ−Ａ’線における端面図である。
【図３】図３は、図１に示す太陽電池装置を構成する基礎構造体を示す図であり、図３（ａ）はＸ軸方向から見た側面図、図３（ｂ）はＹ軸方向から見た正面図、図３（ｃ）は平面図である。
【図４】図４は、図３に示す基礎構造体を構成する第１基部の斜視図である。
【図５】図５は、図３に示す基礎構造体を構成する第１管状部材を示す図であり、図５（ａ）は平面図、図５（ｂ）は側面図である。
【図６】図６は、図５に示す第１管状部材の他の実施形態を示す図であり、図６（ａ）は平面図、図６（ｂ）は側面図である。
【図７】図７は、本発明に係る太陽電池装置の他の実施形態を示す図であり、基礎構造体を構成する第１基部の斜視図である。
【図８】図８は、本発明の太陽電池装置の他の実施形態を示す図であり、図８（ａ）は基礎構造体を構成する主杭部材、第１基部および第２基部の組立図であり、図８（ｂ）は図１（ｂ）のＢ部に相当する部位を拡大して示す側面図である。
【発明を実施するための形態】
【００１０】
以下、本発明の実施形態に係る太陽電池装置の例について、図面を参照しつつ詳細に説明する。なお、太陽電池装置を構成する同一名称の部材については同一符号を付すものとし、重複した説明は省略する。
【００１１】
＜＜第１実施形態＞＞
図１に示すように、太陽電池装置１は、基礎構造体２と、基礎構造体２の上に配置された架台３と、架台３の上に配置された太陽電池モジュール４とを備えている。太陽電池装置１は、農作物を栽培する農地である地盤に設置される。なお、以下では、分かりやすくするために、地盤は水平な設置面Ｐであるものとして説明する。
【００１２】
また、設置面Ｐに対して平行で太陽電池装置１を構成する太陽電池パネル１０の傾斜方向に垂直な座標軸をＸ軸とし、Ｘ軸に沿う方向をＸ軸方向とする。また設置面Ｐに対して平行でＸ軸に垂直な座標軸をＹ軸とし、Ｙ軸に沿う方向をＹ軸方向する。鉛直方向に平行な座標軸をＺ軸とし、Ｚ軸に沿う方向をＺ軸方向とする。また、以下の説明では重力に逆らう方向を上とし、重力に従う方向を下と称する。
【００１３】
次に、太陽電池装置１の各部材について説明する。
【００１４】
＜基礎構造体＞
設置面Ｐに配置された基礎構造体２は、太陽電池装置１の土台としての機能を有している。図１、図３および図４に示すように、基礎構造体２は一端部側に架台３が配置され、他端部が設置面Ｐに打ち込まれた状態で設けられる主杭部材２０と、地盤である設置面Ｐから所定の高さで主杭部材２０の一端部側に固定される第１基部２１と、第１基部２１に第１管状部材２２を介して設けられる副杭部材２３とを有する。ここで、第１基部２１は複数の板状の第１フランジ部２１ａを有している。各第１フランジ部２１ａの主面中央部には第１孔部２１ｂが設けられている。また、第１孔部２１ｂには第１ネジ部材２２ｄを用いて第１管状部材２２が取り付けられている。さらに、第１管状部材２２は副杭部材２３の一部が挿入されて、副杭部材２３を把持している。
【００１５】
図４に示すように、第１基部２１は略十字型の板状体である。第１基部２１を図４に示すＺ軸方向の上方から平面視した場合には、Ｘ軸方向およびＹ軸方向のそれぞれへ張出部２１ｇが設けられている。また、第１基部２１を平面視した際の中央部２１ｆには、主杭部材２０を挿通できる第２孔部２１ｃが設けられている。第２孔部２１ｃの周縁にはＺ軸方向に延びた第２フランジ部２１ｄが設けられている。さらに、第２フランジ部２１ｄの側面には第３孔部２１ｅが設けられている。
【００１６】
第１基部２１は、主杭部材２０を第２孔部２１ｃに挿通し、第２フランジ部２１ｄの第３孔部２１ｅへボルト等を挿入して、例えば主杭部材２０へネジ止めされる。この場合、
主杭部材２０にはボルト等がネジ止めされる凹み、または、ネジ孔を有している。これにより、第１基部２１が、主杭部材２０の所定高さに固定される。
【００１７】
前述したように、第１基部２１は、中央部２１ｆからＸ軸に沿う両方向と、Ｙ軸に沿う両方向へ張り出した４つの張出部２１ｇを有している。これら張出部２１ｇのそれぞれからＺ軸方向の下方へ向けて垂れ下がるように延びた板状の第１フランジ部２１ａを有する。第１基部２１をＺ軸方向の上方から平面視すると、２対の第１フランジ部２１ａが、それぞれの対において中央部２１ｆを中心に点対称に配置されている。
【００１８】
さらに、それぞれの第１フランジ部２１ａは、第１孔部２１ｂを有する。第１孔部２１ｂは、第１管状部材２２を第１フランジ部２１ａに固定するために用いる。このような第１基部２１は、プレス成形で形成することができる。第１基部２１は、ステンレスまたは溶融亜鉛メッキが施された鋼材などを用いることができる。なお、第２フランジ部２１ｄは、別途鍔付きのブシュなどを取り付けてもよい。
【００１９】
第１管状部材２２は、副杭部材２３の一部を挿入して把持するための部材である。図５に示すように、第１管状部材２２は、本体部２２ａと、本体部２２ａに蝶番部２２ｂを介して接続される掴み部２２ｃと、第１ネジ部材２２ｄとを有する。
【００２０】
蝶番部２２ｂは、本体部２２ａと掴み部２２ｃとの間を繋ぎ止めつつ開閉する機能を有する。第１ネジ部材２２ｄは、ボルト等の軸部を有する部材である。第１ネジ部材２２ｄは、本体部２２ａと掴み部２２ｃとを、第１基部２１の第１フランジ部２１ａに設けられた第１孔部２１ｂに固定するとともに、本体部２２ａと掴み部２２ｃとの間で副杭部材２３を締め付けて把持する機能を有する。なお、以下において、本体部２２ａと掴み部２２ｃとからなる部分を管部２２ｅと称する。
【００２１】
第１ネジ部材２２ｄを緩めることで、本体部２２ａと掴み部２２ｃとの間を開いて、この部分で副杭部材２３を挿通できる。また、第１管状部材２２を第１ネジ部材２２ｄの軸部を中心に第１フランジ部２１ａの面に平行に回動して、管部２２ｅで囲まれた平面２２ｈに対する法線方向Ｈ（図５（ａ）に示すように管部２２ｅをその延びる方向に沿う方向へ向かって平面視して、管部２２ｅに囲まれた平面２２ｈの法線方向）を所望の方向へ向けることができる。また、第１ネジ部材２２ｄを締めることで、副杭部材２３は本体部２２ａと掴み部２２ｃとの間で締め付けられて固定される。また、副杭部材２３は、第１管状部材２２が所定の方向へ向いた状態で第１基部２１に固定される。第１管状部材２２が、上述の構造を備えることで、第１ネジ部材２２ｄによる第１基部２１への固定と副杭部材２３の固定との２つの機能を有し、部材点数を少なくして構造を簡単にすることができる。このような第１管状部材２２は、溶融亜鉛メッキを施した鋼材などによって形成される。
【００２２】
なお、第１管状部材２２は、図５に示す以外の形状であってもよく、例えば図６に示すように、管部２２ｅと、管部２２ｅに連結した板部２２ｆと、板部２２ｆに設けられた第１ネジ部材２２ｄと、管部２２ｅに設けられた第２ネジ部材２２ｇよりなる形状であってもよい。この場合、副杭部材２３の第２ネジ部材２２ｇと対応する部分に凹みを設けて、すべり止めにするとよい。
【００２３】
主杭部材２０および副杭部材２３は、いずれも溶融亜鉛メッキを施した外径約５０ｍｍ、板厚約２．５ｍｍの棒状の鋼管である。なお、太陽電池装置１の設置後に、設置面Ｐの付近となる部分は、砂礫で溶融亜鉛メッキを摩耗されること、または土壌に含まれる有機物の付着によって腐食が促進すること等の対策のために、防蝕用の塗料を厚膜で塗装して耐食性を高めるとよい。主杭部材２０は、長手方向を鉛直にして設置面Ｐへ直立状態で打ち込まれて固定される（主杭部材２０の他端部側が設置面Ｐに打ち込まれる）。
【００２４】
次に、副杭部材２３について説明する。以下において、それぞれの第１管状部材２２に取り付けられる副杭部材２３を、第１副杭部材２３Ａ、第２副杭部材２３Ｂ、第３副杭部材２３Ｃ、第４副杭部材２３Ｄと呼称するものとする。
【００２５】
図３（ａ）〜（ｃ）に示すように、第１副杭部材２３Ａと第２副杭部材２３Ｂとの１対、第３副杭部材２３Ｃと第４副杭部材２３Ｄとの１対は、それぞれ第１基部２１の中央部２１ｆの中心を通るＺ軸に対して対称となるように、第１基部２１へ配置される。そして、基礎構造体２をＺ軸方向の上方から平面視すると（主杭部材２０の一端部側を平面視すると）、第１副杭部材２３Ａと第２副杭部材２３Ｂとの１対は、ＸＺ平面に沿って配置される。また、第３副杭部材２３Ｃと第４副杭部材２３Ｄとの１対は、ＹＺ平面に沿って配置される。このように主杭部材２０の長手方向に沿って、その一端部側から基礎構造体２を平面視した場合、各対の副杭部材２３がそれぞれ異なる一方向に沿って配置される。さらに、これらの副杭部材は、ＸＺ平面とＹＺ平面に沿う各対の副杭部材２３が下方へ向かうに従って、それぞれ異なる方向へ向かうように傾斜して配置される。具体的には、第１副杭部材２３Ａは、下方に向かうに従って−Ｘ軸方向側へ傾斜して配置される。また、第２副杭部材２３Ｂは、下方に向かうに従って＋Ｘ軸方向へ傾斜して配置される。また、第３副杭部材２３Ｃは、下方に向かうに従って−Ｙ軸方向へ傾斜して配置される。また、第４副杭部材２３Ｄは、下方に向かうに従って＋Ｙ軸方向へ傾斜して配置される。特に、図３（ｃ）に示すように、主杭部材２０の一端部側を平面視した場合に、一方の１対の副杭部材２３と他方の１対の副杭部材２３とが直交するように配置される。
【００２６】
このように、第１副杭部材２３Ａと第２副杭部材２３Ｂとは、それぞれの長手方向に平行な面（ＸＺ平面）に投影すると、下端から上端へ向かうに従って互いに近付き交差するように配置される。同様に、第３副杭部材２３Ｃと第４副杭部材２３Ｄとは、それぞれの長手方向に平行な面（ＹＺ平面）に投影すると、下端から上端へ向かうに従って互いに近付き交差するように配置される。
【００２７】
＜基礎構造体２の施工方法＞
以下に、基礎構造体２の施工方法について説明する。
【００２８】
まず、主杭部材２０を、杭打機を用いて設置面Ｐへ垂直に約１ｍの長さを打ち込む。次に、第１基部２１を、設置面Ｐから所定の高さで主杭部材２０へネジ止めして固定する。第１基部２１と設置面Ｐとの間の距離は、雨だれによって泥が跳ねあがる以上の高さとすればよい。例えば、第１基部２１と面Ｐとの間の距離は約２０ｃｍにするとよい。これにより、第１基部２１、第１管状部材２２および副杭部材２３が、降雨によって洗い流されにくい部材同士の隙間に入り込んだ泥で腐食することを抑制できる。
【００２９】
そして、第１管状部材２２を、第１基部２１のそれぞれの第１フランジ部２１ａに、第１ネジ部材２２ｄで仮止めする。
【００３０】
次に、それぞれの第１管状部材２２に副杭部材２３を挿通し、第１管状部材２２を回転して副杭部材２３の角度を調整する。その後、第１ネジ部材２２ｄを締めて副杭部材２３を第１管状部材２２に仮止めする。この時、第１副杭部材２３Ａの傾斜角度は、農業機械の掘削爪の耕す範囲と深さとを考慮して、農業機械の干渉を避けられる角度に調整して固定する。例えば、図１において、農業用機械をＹ軸方向に沿って動かして深耕する場合、主杭部材２０に対する第１副杭部材２３Ａおよび第２副杭部材２３Ｂの傾斜角度を小さくし、第３副杭部材２３Ｃおよび第４副杭部材２３Ｄの傾斜角度を大きくするとよい。
【００３１】
次に、第１管状部材２２を案内にして、杭打機でそれぞれの副杭部材２３を設置面Ｐへ斜めに打ち込む。副杭部材２３は、約１．５ｍの長さを設置面Ｐの下に打ち込むとよい。そして、それぞれの第１管状部材２２の第１ネジ部材２２ｄを締めて、第１基部２１へ第１管状部材２２を固定するとともに、管部２２ｅで副杭部材２３を把持する。
【００３２】
＜架台＞
架台３は、図１に示すように、柱部材３１、梁部材３２および桁部材３３を備えている。
【００３３】
柱部材３１は、その長手方向を設置面Ｐに対して垂直方向とするように、基礎構造体２上に配置されている。柱部材３１は、その上部で梁部材３２を支持している。また、柱部材３１の高さと、隣り合う柱部材３１同士の間隔とは、太陽電池装置１の下方で農業用機械を用いることができる寸法にする。例えば、梁部材３２を３ｍ以上の高さに配置できるように、柱部材３１の上端までの高さは３ｍ以上にするとよい。また、隣り合う柱部材３１同士のＸ軸方向およびＹ軸方向の間隔は約５ｍ程度とする。柱部材３１としては、例えば、一般構造用炭素鋼またはステンレス鋼などからなる、丸型断面または角型断面の鋼管を用いることができる。
【００３４】
梁部材３２は、Ｙ軸方向に並ぶ、隣り合う柱部材３１同士の間に、Ｙ軸方向を長手方向として渡される長尺の部材である。柱部材３１と梁部材３２とは、例えば２本の鋼管を所定の角度で把持する機構を持つ継手部材（不図示）を用いて連結される。また、梁部材３２には、柱部材３１と同様の材質で構成された管状の部材を用いることができる。
【００３５】
桁部材３３は、Ｘ軸方向に並ぶ、隣り合う梁部材３２同士の間に、Ｘ軸方向を長手方向として渡される長尺の部材である。桁部材３３は、梁部材３２に継手部材（不図示）を用いて連結される。複数の桁部材３３が太陽電池モジュール４のＹ軸方向の幅と略同じ間隔で、Ｙ軸方向に互いに平行になるように並べて配置される。隣り合う一対の桁部材３３は、桁部材３３に取り付けられた金具３３ａによって、太陽電池パネル１０の相対する２辺をそれぞれ保護するフレーム１５を支持する。なお、桁部材３３に取り付ける金具３３ａの高さは、＋Ｙ軸方向側の金具３３ａを−Ｙ軸方向側の金具３３ａよりも高くする。これにより、＋Ｙ軸方向側を高く、−Ｙ軸方向側を低くするように、太陽電池モジュール４を傾斜して取り付けることができる。桁部材３３には、柱部材３１および梁部材３２と同様の材質で構成された管状の鋼材を用いることができる。
【００３６】
＜太陽電池モジュール＞
太陽電池モジュール４は、図２に示すように、矩形状の太陽電池パネル１０を有する。太陽電池パネル１０は、受光面１０ａ（表面）と、この受光面１０ａ反対側に位置する裏面１０ｂとを有する。太陽電池モジュール４は、その受光面１０ａが好適に受光できるように設置面Ｐに対して傾斜して架台３上に配置される。
【００３７】
太陽電池パネル１０は、透光性基板１１と、この透光性基板１１に対して所定位置に配置され、互いに電気的に接続された複数の太陽電池素子１２と、これら太陽電池素子１２の周囲を保護する充填材１３と、裏面保護部材１４とが積層されてなる。
【００３８】
透光性基板１１は、太陽電池素子１２等を受光面１０ａ側から保護する機能を有している。透光性基板１１としては、例えば、強化ガラスまたは白板ガラス等が挙げられる。
【００３９】
太陽電池素子１２は、入射された光を電気に変換する機能を有している。このような太陽電池素子１２は、例えば、単結晶シリコンまたは多結晶シリコン等からなる半導体基板と、この半導体基板の表面（上面）および裏面（下面）に設けられた電極とを有している
。単結晶シリコン基板または多結晶シリコン基板を有する太陽電池素子１２は、例えば、平面視で四角形状をしている。このとき、太陽電池素子１２の一辺の大きさは、例えば、１００〜２００ｍｍである。
【００４０】
なお、太陽電池素子１２の種類は、特に制限されない。上記の他に例えば、太陽電池素子の光電変換部分がアモルファスシリコン系、ＣＩＧＳ等のカルコパイライト系またはＣｄＴｅ系などの材料から成る薄膜型の太陽電池素子が採用されてもよい。上述した薄膜型の太陽電池素子は、例えば、ガラス基板上に、アモルファスシリコン系、ＣＩＧＳ系またはＣｄＴｅ系などからなる光電変換層および透明電極などを適宜積層させたものが利用できる。このような薄膜型の太陽電池素子は、ガラス基板上で光電変換層および透明電極にパターニングを施して集積化することによって得られる。そのため、薄膜型の太陽電池素子では、複数の光電変換層同士を接続する配線材１６を不要にできる。さらに、太陽電池素子１２は、単結晶または多結晶シリコン基板上にアモルファスシリコンの薄膜を形成したタイプであってもよい。
【００４１】
また、太陽電池パネル１０において、隣接する太陽電池素子１２同士は配線材１６によって電気的に接続されている。例えば、配線材１６は、一方の太陽電池素子１２の表面に位置する電極と、他方の太陽電池素子１２の裏面に位置する電極とを電気的に接続している。これにより、複数の太陽電池素子１２が直列接続されるように配列される。このような配線材１６としては、例えば、半田が被覆された銅箔などが挙げられる。
【００４２】
充填材１３は、太陽電池素子１２の両主面側に設けられる。これにより、充填材１３は、太陽電池素子１２を封止する機能を有している。このような充填材１３としては、例えば、透明のエチレンビニルアセチレートの共重合体などの熱硬化性樹脂が挙げられる。
【００４３】
裏面保護部材１４は、太陽電池素子１２等を裏面側から保護する機能を有している。このような裏面保護部材１４は、太陽電池パネル１０の裏面側に位置する充填材１３と接着している。このような裏面保護部材１４としては、例えば、ＰＶＦ（ポリビニルフルオライド）、ＰＥＴ（ポリエチレンテレフタレート）、ＰＥＮ（ポリエチレンナフタレート）、またはこれらを適宜選択して積層したものを用いることができる。
【００４４】
なお、裏面保護部材１４は着色されたものに限られるものではなく、ガラスまたは透明の樹脂材料を用いてもよい。透明の裏面保護部材１４を用いることで、隣り合う太陽電池素子１２の間への入射光を、太陽電池パネル１０の裏面１０ｂ側へ透過させることができる。これにより、太陽電池素子１２以外の場所への入射光を、設置面面Ｐへと透過させて、農作物の育成に利用することができる。
【００４５】
さらに、太陽電池パネル１０の外周には、フレーム１５が取り付けられている。フレーム１５は、太陽電池モジュール４の耐荷重を向上させて、衝撃から保護する機能を有している。このようなフレーム１５は、例えば、アルミニウム合金等の金属を押出成形したものを用いることができる。
【００４６】
＜効果＞
本実施形態の太陽電池装置１によれば、以下に示す効果を奏する。
【００４７】
基礎構造体２を構成する副杭部材２３は、直立状態の主杭部材２０に対して傾斜しており、設置面Ｐへ斜めに確実に打ち込むことができる。このような副杭部材２３を備えた基礎構造体２は、積雪荷重等の負荷によって沈降しにくく、負圧の風荷重によって、副杭部材２３が引き抜かれにくいので、基礎構造体２の設置面Ｐへの固定強度を高めることができる。
【００４８】
また、基礎構造体２を構成する第１管状部材２２は、軸部を有する第１ネジ部材２２ｄで第１基部２１に取り付けられている。そして、第１ネジ部材２２ｄを緩めると第１管状部材２２を回動し、図５に示す法線方向Ｈを所定の方向へ向けることができる。これにより、管部２２ｅを挿通する副杭部材２３の傾斜角度を調整できる。このため、副杭部材２３は、主杭部材２０に対する傾斜角度を小さくして、農業機械で深耕の作業をする範囲を避けて配置できる。また、深耕の作業をしない範囲では、副杭部材２３の主杭部材２０に対する傾斜角度を大きくして、基礎構造体２の設置面Ｐへの固定強度を高めることができる。また、第１管状部材２２の方向を、無段階で自由に回動して調整できる構造であることから、副杭部材２３の傾斜角度は、深耕の作業をしない限度の範囲まで設定できる。
【００４９】
図３に示すように、第１副杭部材２３Ａと第２副杭部材２３Ｂとの１対、および第３副杭部材２３Ｃと第４副杭部材２３Ｄとの１対が、それぞれ異なる一方向へ配置されている。これにより、深耕の作業領域を避ける側の１対と、副杭部材２３の傾斜角度を大きくして固定強度を高める側の対とに役割分担をさせることができる。このため、農作物の生産に対する支障を小さくしつつ、基礎構造体２の設置面Ｐへの固定強度を高めることができる。特に、一方の１対の副杭部材２３の配置方向に対して直交する方向に、他方の１対の副杭部材２３が配置されていると、異なる１対の副杭部材が互いに直交する方向に延びていることで、いずれの方向から荷重が加わっても効率よく支持できる基礎構造体２とすることができる。  また、主杭部材２０を有することで、主杭部材２０を最初に打ち込み、主杭部材２０で支えつつ第１基部２１、第１管状部材２２、副杭部材２３を順に固定することができる。このため、太陽電池装置１の施工性を高めることができる。
【００５０】
＜＜第２実施形態＞＞
図７に示すように、第２実施形態の太陽電池装置では、基礎構造体２を構成する第１基部２１において、板状体を折り曲げて形成された第１フランジ部２１ａに替えて、Ｌ字型の板状体を張出部２１ｇとは別体として、張出部２１ｇに取り付けた点で第１実施形態と相違する。
【００５１】
具体的には、本実施形態の第１フランジ部２１ａは、鋼板をＬ字型に折り曲げて、面方向が異なる２つの面２１ａａ，２１ａｂのそれぞれに、ネジ部材を挿通するための孔を設けている。この第１フランジ部２１ａは、第１基部２１の張出部２１ｇに軸部を有する第３ネジ部材２４を用いて、ネジ止めで固定される。また、第１フランジ部２１ａは、第３ネジ部材２４を緩めてＸＹ平面に沿って回動させることで、設置面Ｐへ向かう副杭部材２３の打ち込み方向を精度よく調整することができる。
【００５２】
第１基部２１が上述の第１フランジ部２１ａを備えることで、第１管状部材２２は第１フランジ部２１ａの面２１ａａに平行な方向と、張出部２１ｇの主面に平行な方向へ回動できて、第１実施形態よりも副杭部材２３の打ち込み方向を自由に精度よく調整できる。これにより、さらに容易に農業機械の深耕の領域を避けつつ、基礎構造体２の設置面Ｐへの固定強度をいっそう高めることができる。
【００５３】
＜＜第３実施形態＞＞
図８に示すように、第３実施形態の太陽電池装置は、第１基部２１よりも下方に（主杭部材２０の他端部側に）配置された第２基部２５と、第２基部２５に取り付けられており、第１管状部材２２よりも下方で副杭部材２３の一部を挿入して、これを把持する第２管状部材２６とを設けている点で、第１実施形態および第２実施形態と相違する。
【００５４】
具体的には、第２基部２５は、第１基部２１と同様の形状を有しており、主杭部材２０へ第１基部２１とは上下を逆にして配置されている。第２基部２５は、Ｚ軸方向から平面
視して十字型の板材である。また、第２基部２５は、中央部２５ａからＸ軸方向とＹ軸方向の両方向へ張り出した張出部２５ｂを有している。また、第２基部２５は、各張出部２５ｂに対してＺ軸方向へ立つ第３フランジ部２５ｃを有している。各第３フランジ部２５ｃには第４孔部２５ｄが設けられている。また、第２基部２５の中央部２５ａには主杭部材２０を挿通する第５孔部２５ｅが設けられている。この第５孔部２５ｅの周縁には第４フランジ部２５ｆが設けられている。第２基部２５は、第１基部２１の下方において第５孔部２５ｅを挿通され、第４フランジ部２５ｆを主杭部材２０にネジ止めされて固定されている。
【００５５】
また、第２管状部材２６は、第１管状部材２６と同様の形状を有しており、第１ネジ部材２２ｄに相当する第４ネジ部材２６ａを有している。第２管状部材２６の第４ネジ部材２６ａは、第２基部２５のそれぞれの第３フランジ部２５ｃに設けられた第４孔部２５ｄに固定される。第２管状部材２６は、第４ネジ部材２６ａを緩めた状態で回動して任意の方向へ調整することができ、第４ネジ部材２６ａを締めた状態で第２基部２５に固定することができる。
【００５６】
このような第２基部２５を有することで、第１基部２１と第２基部２５との間の距離を調整することで、副杭部材２３の主杭部材２１に対する傾斜角度を容易に調整することができる。より具体的には、第１基部２１と第２基部２５との間の距離を小さくすることで、主杭部材２０に対する副杭部材の傾斜角度を大きくできる。また、第１基部２１と第２基部２５との間の距離を大きくすることで、主杭部材２０に対する副杭部材の傾斜角度を小さくできる。
【００５７】
副杭部材２３を第１管状部材２２と第２管状部材２６とで保持することによって、基礎構造体２の強度を高められる。また、第１基部２１と第２基部２５との間隔を調整することで、容易に副杭部材２３の傾斜角度を調整して基礎構造体２の施工性をさらに良好にすることができる。
【００５８】
なお、上述の実施形態では、説明を理解しやすくするために太陽電池装置１（太陽電池モジュール４）を水平な設置面Ｐに配置する形態で説明したが、これに限らない。例えば、太陽電池装置１を傾斜した地盤に設置しても、本発明を好適に適用することができる。
【００５９】
また、太陽電池装置１の構成は、上記の実施形態に限られるものでなく、適宜、細部を変更してもよい。例えば、主杭部材および副杭部材として、Ｌ型またはＨ型の鋼材を用いてもよく、太陽電池モジュール４と基礎構造体２との間を、柱部材３１またはアース線等の導電体によって電気的に接続し、太陽電池モジュール４を接地してもよい。
【符号の説明】
【００６０】
１：太陽電池装置
２：基礎構造体
３：架台
４：太陽電池モジュール
１０：太陽電池パネル
１０ａ：受光面
１０ｂ：裏面
１１：透光性基板
１２：太陽電池素子
１３：充填材
１４：裏面保護部材
１５：フレーム
１６：配線材
２０：主杭部材
２１：第１基部
２１ａ：第１フランジ部 
２１ｂ：第１孔部
２１ｃ：第２孔部
２１ｄ：第２フランジ部
２１ｅ：第３孔部
２１ｆ：中央部
２１ｇ：張出部
２２：第１管状部材
２２ａ：本体部
２２ｂ：蝶番部
２２ｃ：掴み部
２２ｄ：第１ネジ部材
２２ｅ：管部
２２ｆ：板部
２２ｇ：第２ネジ部材
２３：副杭部材
２３Ａ：第１副杭部材
２３Ｂ：第２副杭部材
２３Ｃ：第３副杭部材
２３Ｄ：第４副杭部材
２４：第３ネジ部材
２５：第２基部
２５ａ：中央部
２５ｂ：張出部
２５ｃ：第３フランジ部
２５ｄ：第４孔部
２５ｅ：第５孔部
２５ｆ：第４フランジ部
２６：第２管状部材
２６ａ：第４ネジ部材
３１：柱部材
３２：梁部材
３３：桁部材
３３ａ：金具
Ｐ：設置面（地盤）
【図１】
2017046560.tif 000003
【図２】
2017046560.tif 000004
【図３】
2017046560.tif 000005
【図４】
2017046560.tif 000006
【図５】
2017046560.tif 000007
【図６】
2017046560.tif 000008
【図７】
2017046560.tif 000009
【図８】
2017046560.tif 000010